(57)【要約】【課題】感度調整動作を要することなく広い帯域の周波数に対し必要な受信感度を確保し、イヤーホーンへの音声信号の伝送もできるようにする。【解決手段】バラン４に接続された左右のイヤーホーン１２Ｌ、１２Ｒに対応する二対の音声・高周波兼用信号線８Ｌａ、８Ｌｂ、８Ｒａ、８Ｒｂの反バラン側の端子に、ローディングコイルＬＬａ、ＬＬｂ、ＬＲａ、ＬＲｂを介してイヤーホーン１２Ｌ、１２Ｒに接続し、更に、該反バラン側の端子間を一対の導体線２０ａ、２０ｂで接続する。ローディングコイルＬＬａ、ＬＬｂ、ＬＲａ、ＬＲｂは基本周波数（例えば１００ＭＨｚ）に対しローインピーダンスに、それより高い特定周波数（例えば２００ＭＨｚ）に対し高周波的に遮断するハイインピーダンスになる。更に二対の音声・高周波兼用信号線８Ｌａ、８Ｌｂ、８Ｒａ、８Ｒｂを左右のイヤーホーン１２Ｌ、１２Ｒへの音声信号の伝送手段として使用する。【選択図】        図１
2004274356.tif 000002
【特許請求の範囲】
【請求項１】
平衡モードから不平衡モードに変換するバランを有し、該バランの平衡モード側の一方の端子に、一対の音声・高周波兼用信号線の一端が、該平衡モード側の他方の端子に該一対の音声・高周波兼用信号線の他端が接続され、該一対の音声・高周波兼用信号線が一部分にて左のイヤーホーンに、他の部分にて右のイヤーホーンに接続されるイヤーホーンアンテナであって、
高周波信号に対しては、上記一対の音声・高周波兼用信号線が受信ループアンテナとして機能し、音声信号に対しては該一対の音声・高周波兼用信号線のバランから左右のイヤーホーンが接続される部分までが上記左右のイヤーホーンへの音声信号伝送手段として機能するようにされた
ことを特徴とするイヤーホーンアンテナ。
【請求項２】
前記左右のイヤーホーンと、それに接続される前記音声・高周波兼用信号線との間に、高周波信号に対してはハイインピーダンスになってその信号を実質的に遮断し、音声信号に対してはローインピーダンスになってその信号の伝送を許容する高周波信号遮断手段を有する
ことを特徴とする請求項１記載のイヤーホーンアンテナ。
【請求項３】
前記一対の音声・高周波兼用信号線の左右のイヤホーンと接続される各部分よりも反バラン側寄りのところにそれぞれ音声信号遮断手段を介挿してなる
ことを特徴とする請求項１又は２記載のイヤーホーンアンテナ。
【請求項４】
平衡モードから不平衡モードに変換するバランを有し、該バランの平衡モード側の一方の端子に、一対の音声・高周波兼用信号線の一端が、該平衡モード側の他方の端子に該一対の音声・高周波兼用信号線の他端が接続され、該一対の音声・高周波兼用信号線が一部分にて左のイヤーホーンに、他の部分にて右のイヤーホーンに接続され、高周波信号に対しては、上記一対の音声・高周波兼用信号線が受信ループアンテナとして機能し、音声信号に対しては該一対の音声・高周波兼用信号線のバランから左右のイヤーホーンが接続される部分までが上記左右のイヤーホーンへの音声信号伝送手段として機能するようにされたイヤーホーンアンテナと、
上記イヤーホーンアンテナの上記バランの不平衡側端子に、ケーブルを介して接続された受信装置と、
からなることを特徴とする無線機。
【請求項５】
平衡モードから不平衡モードに変換するバランを有し、該バランの平衡モード側の端子に、上記左のイヤーホーンに対応する一対の音声・高周波兼用信号線、及び、右のイヤーホーンに対応する一対の音声・高周波兼用信号線が接続され、該各対の音声・高周波兼用信号線の反バラン側の端子が、各別のローディングコイル対を介して一対の導体線により互いに接続され、更に該ローディングコイル対を介して左右のイヤーホーンに接続されるイヤーホーンアンテナであって、
上記各ローディングコイルは、予め設定された基本周波数より高い特定の周波数の信号に対してはハイインピーダンスになって高周波的に上記二対の音声・高周波兼用信号線から分離して該信号線をダイポールアンテナとして機能させ、上記基本周波数の信号に対してはローインピーダンスになって高周波的に上記二対の音声・高周波兼用信号線と上記各ローディングコイルとを接続して結んでその双方と上記導体線によるループアンテナを機能させるようにされ、
更に、上記各対の音声・高周波兼用信号線は、左右のイヤーホーンへの音声信号に対しては音声信号伝送手段として機能するようにされた
ことを特徴とするイヤーホーンアンテナ。
【請求項６】
前記左右のイヤーホーンに接続される一対の音声・高周波兼用信号線のうちの一方のみをバランの平衡モード側の端子に接続し、
該一対の音声・高周波兼用信号線の他方同士を高周波的に接続し、
左のイヤーホーンに対応する一対の高周波兼用信号線のうちの一方と、それに接続された導体線と、該導体線に接続された右のイヤーホーンに対応する一対の高周波兼用信号線の一方と、該対の他方とからなる一重ループアンテナが構成されるようにした
ことを特徴とする請求項５記載のイヤーホーンアンテナ。
【請求項７】
前記導体線に音声信号遮断手段が介挿されてなる
ことを特徴とする請求項５又は６記載のイヤーホーンアンテナ。
【請求項８】
前記二対の音声・高周波兼用信号線の前記バランの平衡モード側の端子に接続された側の部分における、その二対の一方と他方で成す角度が略１８０°を成し、前記特定の周波数信号に対してその二対の音声・高周波兼用信号線がＵ型ダイポールアンテナとして機能するようにされた
ことを特徴とする請求項１、２、３、５、６又は７記載のイヤーホーンアンテナ。
【請求項９】
前記二対の音声・高周波兼用信号線の前記バランの平衡モード側の端子に接続された側の部分における、その二対の一方と他方で成す角度が略１８０°より小さい角度を成し、前記特定の周波数信号に対してその二対の音声・高周波兼用信号線がＶ型ダイポールアンテナとして機能するようにされた
ことを特徴とする請求項１、２、３、５、６又は７記載のイヤーホーンアンテナ。
【請求項１０】
前記左右一対のローディングコイルの各対の音声・高周波兼用信号線と、前記各イヤーホーンとの間に、高周波信号に対してハイインピーダンスになってその間を高周波的に分離し、音声信号に対してローインピーダンスになってその音声信号の伝送を許容する高周波遮断手段が設けられた
ことを特徴とする請求項５、６、７、８又は９記載のイヤーホーンアンテナ。
【請求項１１】
前記左右の対を成す音声・高周波兼用信号線間それぞれに帯域拡大用コンデンサが接続された
ことを特徴とする請求項１、２、３、５、６、７、８、９又は１０記載のイヤーホーンアンテナ。
【請求項１２】
前記ダイポールアンテナの各対の音声・高周波兼用信号線に音声信号を伝達する音声信号伝達経路を有し、
上記音声信号伝達経路に高周波信号に対してハイインピーダンスになる高周波遮断手段を介在させた
ことを特徴とする請求項１、２、３、５、６、７、８、１０又は１１記載のイヤーホーンアンテナ。
【請求項１３】
請求項５、６、７、８、９、１０、１１又は１２記載のイヤーホーンアンテナと、
上記バランの不平衡モード側の端子に接続された受信装置と、
からなることを特徴とする無線機。
【発明の詳細な説明】
【０００１】
【発明の属する技術分野】
本発明は、イヤーホーンアンテナ、特に、感度調整操作或いは受信周波数切換操作をしなくても広い周波数帯域に渡って高い受信感度を得ることができ、且つ人体からのイヤーホーンを通じての悪影響を受けないイヤーホーンアンテナと、そのイヤーホーンアンテナを備えた無線機に関する。
【０００２】
【従来の技術】
高い周波数の電波を受信する無線機のアンテナとして、イヤーホーンをそのまま利用したもの、或いは、無線機の筐体内に導体線を配置したもの等が従来良く用いられたが、これらのものは充分な受信感度を得ることが難しく、そこで、例えば、特開平１０−８４２０９号公報により紹介されたループアンテナが開発された。この種のアンテナは小型無線機の首紐にループアンテナを取付け、そのループアンテナに、インダクタンス素子を、そのループアンテナの開口面が人体表面に垂直になるような向きに並列に接続したものである。
【０００３】
しかし、これらのものは、イヤーホーンに対する配慮がなく、アンテナと、イヤーホーンへの信号線を別々に設けなければならないという問題を有していた。そこで、実開平６−２２３３１号公報によりヘルメットにイヤーホーンへの信号線とアンテナとを組み込ん一体化するようにしたイヤーホーンアンテナが開発されたりした。
【０００４】
【発明が解決しようとする課題】
上述した例えば特開平１０−８４２０９号公報等により紹介されたようなタイプのアンテナは、先ず、イヤーホーンを一体化することについての一切の配慮が成されていないという問題があった。
また、イヤーホーンへ音声信号を伝送する信号線とアンテナを一体化した従来のイヤーホーンアンテナには、イヤーホーンが人体に直接接することから人体がアンテナを通じて無線機に大きな影響を及ぼし、受信の安定性が大きく損なわれるという問題があった。
【０００５】
この問題はラジオにおいても生じるが、その放送電波より受信周波数の高いテレビジョン放送電波を受信する例えば携帯液晶ＴＶ（テレビジョン受像機）においてはその傾向が顕著に強い。しかし、それ対しては有効な対策が講じられていないのが実情であった。
また、テレビジョン放送を受信する場合、広帯域のテレビジョン放送周波数に対して該広帯域全域に渡って充分な受信感度を確保することが難しいという問題もあった。
【０００６】
即ち、所謂、携帯液晶ＴＶ（テレビジョン受像機）と称されるものは、９０〜７７０ＭＨｚという非常に広帯域の高周波信号を受信する必要がある。具体的には、日本におけるテレビジョン放送使用周波数帯域の場合、ＶＨＦ帯では、９０〜１０８ＭＨｚ（１〜３ｃＨ）、１７０〜２２２ＭＨｚ（４〜１２ｃＨ）が使用周波数となり、ＵＨＦ帯では４７０〜７７０ＭＨｚ（１３〜６２ｃＨ）が使用周波数となる。
このような広帯域に渡って充分な高さの受信感度を得ることは難しく、受信感度の低い帯域が生じることは避け得なかった。なぜならば、アンテナはアンテナ長、例えばループアンテナの場合だとループ長が受信周波数帯域を決定し、その帯域外の周波数に対してアンテナの受信感度が低下するからである。
【０００７】
そのため、例えば磁性体が移動可能に挿通された感度調整部材を設け、該磁性体の挿通量を受信しようとする周波数に応じて調整するというような感度調整手段の開発も試みられた。しかし、このような感度調整手段によれば、受信しようとする周波数を切り換えるとき毎に、感度調整動作をする必要があるという面倒があった。
【０００８】
尚、将来、ディジタル地上波による放送が行われることになっており、ディジタル地上波による放送電波はＵＨＦのみであるので、そのディジタル地上波対応の受信機の場合は、受信周波数帯域はアナログ地上波対応の受信機の場合よりも狭くて済むと言える。しかし、従来のイヤーホーンアンテナは、ディジタル地上波放送対応の受信機には適していない。というのは、前述の通り、人体からイヤホーン、イヤーホーンアンテナを通じて受信機に及ぼす高周波的悪影響をなくす等について有効な対策を講じ得ていないからである。
【０００９】
本発明はこのような問題点を解決すべく為されたものであり、人体からイヤーホーン通じて無線機側に及ぼす高周波的悪影響をなくすことができ、更に、感度調整動作を要することなく広い帯域の周波数の信号に対して必要な受信感度を確保することが可能でかつイヤーホーンへの音声信号の伝送も可能なイヤーホーンアンテナと、それを備えた無線機を提供することを目的とする。
【００１０】
【課題を解決するための手段】
請求項１のバランは、バランの平衡モード側の一方の端子に、一対の音声・高周波兼用信号線の一端が、該平衡モード側の他方の端子に該一対の音声・高周波兼用信号線の他端が接続され、該一対の音声・高周波兼用信号線が一部分にて左のイヤーホーンに、他の部分にて右のイヤーホーンに接続されるイヤーホーンアンテナであって、高周波信号に対しては、上記一対の音声・高周波兼用信号線が受信ループアンテナとして機能し、音声信号に対しては該一対の音声・高周波兼用信号線のバランから左右のイヤーホーンが接続される部分までが上記左右のイヤーホーンへの音声信号伝送手段として機能するようにされたことを特徴とする。
【００１１】
従って、請求項１のイヤーホーンアンテナによれば、バランにて平衡モードから不平衡モードにモード変換し、更に、上記二対の音声・高周波兼用信号線を、高周波信号に対しては受信ループアンテナとして機能させ、音声信号に対しては音声信号伝達手段として機能させるので、高周波受信アンテナとイヤーホーンとの一体化を図ることができる。
【００１２】
請求項４の無線機は、請求項１のバランと、該イヤーホーンアンテナのバランの不平衡側端子に、ケーブルを介して接続された受信装置と、からなることを特徴とする。
従って、請求項４の無線機によれば、請求項１のイヤーホーンアンテナを用いるので、そのイヤーホーンアンテナの持つ利点を享受することができる。
【００１３】
請求項５のバランは、バランの平衡モード側の端子に、左のイヤーホーンに対応する一対の音声・高周波兼用信号線、及び、右のイヤーホーンに対応する一対の音声・高周波兼用信号線が接続され、該各対の音声・高周波兼用信号線の反バラン側の端子が、各別のローディングコイル対を介して一対の導体線により互いに接続され、更に該ローディングコイル対を介して左右のイヤーホーンに接続されるイヤーホーンアンテナであって、該各ローディングコイルは、予め設定された基本周波数（例えば１００ＭＨｚ）より高い特定の周波信号（例えば２００ＭＨｚ）に対してはハイインピーダンスになって高周波的に上記二対の音声・高周波兼用信号線から分離して該信号線をダイポールアンテナとして機能させ、上記基本周波数（例えば１００ＭＨｚ）の信号に対してはローインピーダンスにして高周波的に上記二対の音声・高周波兼用信号線と上記各ローディングコイルとを接続して結んでその双方と上記導体線によるループアンテナが機能するようにされ、更に、上記各対の音声・高周波兼用信号線は、左右のイヤーホーンへの音声信号に対しては音声信号伝送手段として機能するようにしたことを特徴とする。
【００１４】
従って、請求項５のイヤーホーンアンテナによれば、高周波信号をバランにて平衡モードから不平衡モードにモード変換することができると共に、基本周波数（例えば、１００ＭＨｚ）より高い特定の周波数（例えば２００ＭＨｚ）の信号に対してはローディングコイルがハイインピーダンスとなって上記二対の音声・高周波兼用信号線から分離し、その二対の音声・高周波兼用信号線をダイポールアンテナとして機能させ、共振させることができる。
また、基本周波数（例えば、１００ＭＨｚ）の信号に対しては上記ローディングコイルがローインピーダンスとなって上記二対の音声・高周波兼用信号線とそれに接続された各ローディングコイルとそのローディングコイル間を接続する導体線を一つのループアンテナとして機能させて共振させることができる。
【００１５】
依って、基本周波数（例えば１００ＭＨｚ）に共振し、更にその高調波（３倍波、例えば３００ＭＨｚ、５倍波、例えば５００ＭＨｚ、７倍波、例えば７００ＭＨｚ）に共振するループアンテナと、予め設定された周波数（例えば１００ＭＨｚ）より高い特定の周波数（例えば２００ＭＨｚ）の信号に共振し、更にその高調波（３倍波、例えば６００ＭＨｚ等）に励振するダイポールアンテナとが上記二対の音声・高周波兼用信号線によって構成され、広い周波数帯域に渡って受信感度の変化の比較的少ない感度特性を得ることが可能になり、その感度特性を得るのにイヤーホーンアンテナに対する感度調整を全く要しない。
【００１６】
尚、そのローディングコイルは基本周波数（例えば１００ＭＨｚ）の共振に必要とされるアンテナ長を短縮するので、アンテナ長が短くても長い波長の信号に共振し得ることから、アンテナを徒に長くすることなく低い周波数の信号に対する受信感度を高めることができる。これも無視できない利点である。
従って、広い周波数帯域に渡って受信感度の変化の比較的少ない感度特性を得ることが可能になり、その感度特性を得るのにイヤーホーンアンテナに対する感度調整を全く要しない。
【００１７】
更に、請求項５のイヤーホーンアンテナによれば、音声信号に対しては上記各対の音声・高周波兼用信号線及び上記ローディングコイルが上記左右のイヤーホーンへの音声信号伝送手段として機能するようにしたので、イヤーホーンとアンテナの一体化を図ることができる。
従って、アンテナを広周波数帯域に渡る高周波信号の受信に用いることができると共に、イヤーホーンに音声信号を伝送する手段としても用いることができ、高感度、広帯域アンテナとイヤーホーンの一体化が可能となる。
【００１８】
請求項１３の無線機は、請求項５、６、７、８、９、１０、１１又は１２記載のイヤーホーンアンテナと、上記バランの不平衡モード側の端子に接続された受信装置からなることを特徴とする。
従って、請求項１３の無線機によれば、上記請求項５、６、７、８、９、１０、１１又は１２記載のイヤーホーンアンテナの利点を享受することができる。
【００１９】
【発明の実施の形態】
本発明イヤーホーンアンテナは、基本的には、バランの平衡モード側の一方の端子に、一対の音声・高周波兼用信号線の一端が、該平衡モード側の他方の端子に該一対の音声・高周波兼用信号線の他端が接続され、該一対の音声・高周波兼用信号線が一部分にて左のイヤーホーンに、他の部分にて右のイヤーホーンに接続され、高周波信号に対しては、上記一対の音声・高周波兼用信号線が受信ループアンテナとして機能し、音声信号に対しては該一対の音声・高周波兼用信号線のバランから左右のイヤーホーンが接続される部分までが上記左右のイヤーホーンへの音声信号伝送手段として機能するようにされたものである。
【００２０】
そして、例えば、ディジタル地上波対応の受信機に用いる場合には、その一対の音声・高周波兼用信号線のループ長を６５ｃｍ程度にすると良い。というのは、これで、ディジタル地上波放送されるＵＨＦのすべての帯域の高周波信号を受信できるループアンテナを構成でき、それでいて音声信号の伝送は支障なく為し得るからである。尚、一対の音声・高周波兼用信号線をループ状にするのでバランを首掛け構成に容易に為し得る。但し、ループ長が６５ｃｍ程度では頭を通すのに窮屈と感じる人もいる可能性に考慮し、一対の音声・高周波兼用信号線の一部分に着脱自在なコネクタを介在させ、首に掛けるとき或いは首から外すときにそのコネクタを外し、掛けきったとき或いは外しきったときにコネクタにて接続してその音声・高周波兼用信号線をループ状に戻すことができるようにしても良い。
【００２１】
そして、音声・高周波兼用信号線と左右のイヤーホーンとの間に、高周波信号（例えばＵＨＦ波）に対してはハイインピーダンスになってその高周波信号を遮断し、音声信号に対してはローインピーダンスになってその音声信号の伝送を許容する高周波遮断手段〔例えばインダクタンス素子（コイル）〕を介在させるようにすると良い。それにより、人体からイヤーホーン通じて無線機側に及ぼす影響をなくすことができ、受信の安定性を高めることができるからである。
また、一対の音声・高周波兼用信号線の左右のイヤーホーンとの接続点よりもバランの平衡側端子から程遠い位置に音声遮断手段例えばコンデンサを介挿するようにすると良い。それにより、左右のイヤーホーンへ伝送されるべき音声信号が導体線へ漏れるのを阻むことができ、イヤーホーンにおける音声信号レベルの低下を軽減することができるからである。
【００２２】
また、通常のテレビジョン地上波（アナログ地上波）放送対応の受信機に用いる場合には、バラン、及び、左右のイヤーホーンに接続される二対の音声・高周波兼用信号線に、左右の一対ずつローディングコイルを付加し、更に左右のローディングコイル間を接続する導体線を設けたものをイヤーホーンアンテナとして用いる。
この場合には、周波数帯域の違いに応じてローディングコイルがハイインピーダンスになったり、ローインピーダンスになったりすることにより、該二対の音声・高周波兼用信号線が、上記特定の周波数（２００ＭＨｚ）の高周波信号に共振するダイポールアンテナとして機能し、該二対の音声・高周波兼用信号線に上記一対のローディングコイル及び導体線を付加したものが上記基本周波数（１００ＭＨｚ）に共振するループアンテナとして機能する。
【００２３】
そして、そのような通常のテレビジョン地上波放送対応の受信機に用いる場合においては、前記左右のイヤーホーンに接続される一対の音声・高周波兼用信号線の一方のみをバランの平衡側端子に接続し、該一対の音声・高周波兼用信号線を他方同士を高周波的に接続し、以て、左のイヤーホーンに対応する一対の高周波兼用信号線の一方と、該対の他方と、右のイヤーホーンに対応する一対の高周波兼用信号線の一方と、該対の他方と導体線を含んだ一重のループアンテナが構成されるようにしてもよい。この場合には、ループアンテナの実質的全周が２倍になり、受信周波数帯域を低くすることができる。
【００２４】
そして、ローディングコイルの各対の音声・高周波兼用信号線と、前記各イヤーホーンとの間に、高周波遮断手段、例えばフェライトビーズ（或いはチョークコイル）を設けて、人体が高周波信号の受信に対して悪影響を及ぼすのを防止することが好ましい。受信の安定性を高めることができるからである。
また、前記左右の対を成す音声・高周波兼用信号線間それぞれに帯域拡大用コンデンサを接続するようにしても良い。それにより受信周波数帯域を拡げることができるからである。
【００２５】
そして、前記イヤーホーンアンテナの各対の音声・高周波兼用信号線に音声信号を伝達する音声信号伝達経路に高周波信号に対してハイインピーダンスになる高周波遮断手段、例えばフェライトビーズ（チョークコイル）を介在させて、音声信号経路への不必要な高周波信号の侵入を防止できるようにすると良い。
【００２６】
左右一対ずつのローディングコイルは、それぞれ、分離独立した部品で構成してもよい。しかし、そのようにすると、ローディングコイル、延いてはそれを備えたローディングコイルの専有面積が増え、延いてはイヤーホーンアンテナの大型化、重量の増加に繋がる可能性がある。そこで、大型化等を回避するために、一つのコアを共有する二つの巻線からなる複数のコイルを一体に設けた複合コイルで各対のローディングコイルを構成するように設けるようにしても良い。
【００２７】
また、本発明イヤーホーンアンテナは、それから離れた無線機の受信装置に高周波信号を送り、その受信装置から音声信号を受け取るので、その高周波信号、音声信号の受信装置との送受信には同軸ケーブルを用いることがノイズの侵入防止、受信の安定性の向上等の面から好ましい。そして、その同軸ケーブルとして、高周波信号を通す中心導体と、該中心導体を囲繞する絶縁体と、該絶縁体を囲繞するシールド線と、該シールド線を囲繞する絶縁体と、該絶縁体の外側に左右の音声信号線を設けたものを用いると良い。
【００２８】
なぜなら、一つの同軸ケーブルによって高周波信号と左右の音声信号の両方の伝送に用いることができ、イヤーホーンアンテナと、無線機の受信装置との間を接続する同軸ケーブルに最適であるからである。尚、一対の音声信号線と上記シールド線により左右の音声を伝送するようにしても良いが、該一対の音声信号線の他に共通音声信号線を第２の絶縁体の外側に巻き、この３本の信号線により左右の音声信号を伝送するようにしても良い。
各信号線は導電性及び機械的柔軟性（フレキシビィリテイ）等を備えるように複数の線材を拠ってつくると良く、その材料として、例えば軟銅及びリツ線が好適である。
【００２９】
上記二対の音声・高周波兼用信号線はその該バランに接続された側の部分が互いに略１８０°の角度を成すようにしても良い。このようにした場合、その二対の音声・高周波兼用信号線は前記特定の周波数（例えば２００ＭＨｚ）の信号に対してＵ型ダイポールアンテナとして機能する。
また、その角度を約１８０°よりも小さな角度にしても良い。このようにした場合、その二対の音声・高周波兼用信号線は前記特定の周波数（例えば２００ＭＨｚ）の信号に対してＶ型ダイポールアンテナとして機能する。
このように、本発明は種々の形態で実施することができる。
【００３０】
【実施例】
以下、本発明を図示実施例に従って詳細に説明する。
図１（Ａ）、（Ｂ）は本発明イヤーホーンアンテナの第１の実施例を示すもので、（Ａ）は構成図、（Ｂ）はアンテナの回路図である。図２（Ａ）〜（Ｃ）はそのイヤーホーンアンテナに用いる各別の部材を示し、（Ａ）はピンジャックコネクタを示す図、（Ｂ）は同軸ケーブルの構成図、（Ｃ）は複合コイルの構成図である。
【００３１】
図面において、２は本イヤーホーンアンテナ（本発明イヤーホーンアンテナの第１の実施例）で、バラン４等を収納するマッチングボックス６と、該バラン４の平衡側端子に接続された音声・高周波兼用信号線８Ｌａ、８Ｌｂ、８Ｒａ、８Ｒｂと、該音声・高周波兼用信号線８Ｌａ、８Ｌｂ、８Ｒａ、８Ｒｂの反バラン側端子に接続された一対のローディングボックス１０Ｌ、１０Ｒと、該ローディングボックス１０Ｌ、１０Ｒ間を接続する一対の導体線２０ａ、２０ｂからなる。
該ローディングボックス１０Ｌ、１０Ｒの音声・高周波兼用信号線８Ｌａ、８Ｌｂ、８Ｒａ、８Ｒｂと反対側の端子にイヤーホーン１２Ｒ、１２Ｌと、導体線２０ａ、２０ｂが接続されている。そして、該音声・高周波兼用信号線８Ｌａ、８Ｌｂ、８Ｒａ、８Ｒｂ及び導体線２０ａ、２０ｂは導電性及び機械的柔軟性等を備える複数の線材を拠って作られ、例えば軟銅からなる。また、拠り線は、それぞれが、絶縁されているリツ線を使用しても良い。尚、一対の導体線２０ａ、２０ｂは共に約４０ｃｍに設定されている。
【００３２】
上記バラン４は平衡モードを非平衡モードにモード変換し、かつインピーダンス変換するもので、本実施例では平衡２００Ωから不平衡７５Ωへのインピーダンス変換を行っている。そして、該バラン４の平衡モード側の端子の一方に左側の音声・高周波兼用信号線８Ｌａ、８Ｌｂが、他方に右側の音声・高周波兼用信号線８Ｒａ、８Ｒｂが、バラン４の平衡側端子から５ｃｍまでが互いに３０°以上の固定された角度（本例では９０°）で延び、Ｖ型ダイポールアンテナとして機能し得るように接続されている。そのバラン４からインピーダンスボックス１０Ｌ、１０Ｒに至る長さ（片側アンテナ長）は例えば３７ｃｍ或いはそれ以上にされている。
【００３３】
このように、片側を２本の信号線（左側については８Ｌａ・８Ｌｂ、右側については８Ｒａ、８Ｒｂ）で構成するのは、これら音声・高周波兼用信号線８Ｌａ、８Ｌｂ、８Ｒａ、８Ｒｂに高周波信号の受信アンテナとして機能させるだけでなく、左右の各イヤーホーン１２Ｌ、１２Ｒへ音声信号を伝送する音声信号伝送手段としても機能させるようにするためである。尚、受信アンテナ（ループアンテナ）としての周波数帯域を下側に拡げるために、音声・高周波兼用信号線８Ｌａ・８Ｌｂ間及び８Ｒａ、８Ｒｂ間に、コンデンサＣ３Ｌ、Ｃ３Ｒを接続するようにしても良い。
【００３４】
尚、図１（Ａ）、（Ｂ）において２点鎖線で示すように、補助アンテナ８Ｌｃ、８Ｒｃを設けて特性を補うようにしても良い。該補助アンテナ８Ｌｃ、８Ｒｃは長さが例えば５０ｍｍで、音声／高周波兼用信号線８Ｌａ、８Ｌｂ、８Ｌａ、８Ｌｂから最低５ｍｍ離して設けることが好ましい。
この図１（Ａ）に示すような大きさ、形状の信号線８Ｌａ、８Ｌｂ、８Ｒａ、８Ｒｂ（及び、８Ｌｃ、８Ｒｃ）は２００ＭＨｚの高周波信号に共振し、その高調波（３倍波、５倍波、７倍波）に励振するＶ型ダイポールアンテナとしての機能を有する。
【００３５】
該バラン４の非平衡モード側の端子は同軸ケーブル１４を介して受信機、例えば、液晶ＴＶ（テレビジョン受像機）１６に接続されている。
尚、上記同軸ケーブル１４と該液晶ＴＶ１６との接続は図２（Ａ）に示すピン配列のピンジャックコネクタ２４を用いて行われる。
【００３６】
該同軸ケーブル１４は図２（Ｂ）に示すように、高周波信号用の信号線と、音声信号用の信号線を一体化した同軸一体ケーブルであり、一つの同軸ケーブルで高周波信号の伝送と、左右の音声信号の伝送を行う。必ずしも、高周波信号用の信号線と、音声信号用の信号線を一つの同軸ケーブルで伝送することは不可欠ではなく、別々のケーブルにより伝送するようにしても良いが、一つの同軸ケーブルで高周波信号と音声信号を送るようにすると、使用するケーブルの使用本数が少なくて済み、小型化、軽量化、低価格化を図ることができるので好ましいと言える。
該同軸ケーブル１４は、本イヤーホーンアンテナ２と、無線機、例えば液晶ＴＶ（テレビジョン受像機）本体１６の受信回路（受信装置）１９との間を接続し、図２（Ａ）に示すような構造を有する。
【００３７】
即ち、本同軸ケーブル１４は、高周波信号を通す中心導体３１を芯線とし、その中心導体３１を絶縁体３２で被覆し、該絶縁体３２をシールド線（例えば裸軟銅線からなる）３３で被覆し、該シールド線３３をその外側から例えばテープ３４により巻いて被覆し、そのテープ３４の外側に互いに絶縁分離された３本の音声信号線３５ａ、３５ｂ、３５ｃを巻き、その外側をジャケット３６で覆ったものである。上記３本の音声信号線３５ａ、３５ｂ、３５ｃの一つが左側音声信号線、他の一つが右側音声信号線、残りが共通音声信号線（グランドライン）となる。但し、本実施例においては、共通音声信号線を遊ばせ、音声信号を左右の音声信号線とシールド線により音声信号を伝送するようにしている。
【００３８】
上記左右のローディングボックス１０Ｌ、１０Ｒは、それぞれ、音声／高周波兼用信号線８Ｌａ・８Ｌｂ、８Ｒａ・８Ｒｂと、左右のイヤーホーン１２Ｌ、１２Ｒ及び導体線２０ａ、２０ｂとの間に接続されている。
そして、該ローディングボックス１０Ｌは、ローディングコイルＬＬａ、ＬＬｂと、該ローディングコイルＬＬａ、ＬＬｂに一端が接続された高周波遮断手段たるフェライトビーズＦ１Ｌａ、Ｆ１Ｌｂと、更に該ローディングコイルＬＬａ、ＬＬｂに一端が接続された音声信号遮断手段を成すコンデンサＣ４Ｌａ、Ｃ４Ｌｂを有している。
上記フェライトビーズＦ１Ｌａ、Ｆ１Ｌｂの他端は、左のイヤーホーン１２Ｌに接続されている。
【００３９】
また、ローディングボックス１０Ｒは、ローディングコイルＬＲａ、ＬＲｂと該ローディングコイルＬＲａ、ＬＲｂに一端が接続された高周波遮断手段たるフェライトビーズＦ１Ｒａ、Ｆ１Ｒｂと、更に、該ローディングコイルＬＲａ、ＬＲｂに一端が接続された音声信号遮断手段を成すコンデンサＣ４Ｒａ、Ｃ４Ｒｂを有している。
そして、上記フェライトビーズＦ１Ｒａ、Ｆ１Ｒｂの他端が、左のイヤーホーン１２Ｒに接続されている。
【００４０】
上記フェライトビーズＦ１Ｌａ、Ｆ１Ｌｂ、Ｆ１Ｒａ、Ｆ１Ｒｂ（例えば村田製作所製ＢＬＭ１８ＨＤ１０２ＳＮ１  サイズ１６０８）は、２０ｋＨｚ以下の帯域の音声信号に対してはローインピーダンスになり、ローディングコイルＬＬａ、ＬＬｂ、ＬＲａ、ＬＲｂとイヤーホーン１２Ｌ、１２Ｒとの間における音声信号の伝送を許容する。また、高周波信号に対してはハイインピーダンス（例えば１ｋＨｚ）になってその間の信号を遮断（カット）する。従って、高周波信号が人体からイヤーホーン１２Ｌ、１２Ｒ及び声／高周波兼用信号線８Ｌａ・８Ｌｂ、８Ｒａ・８Ｒｂ等を介して受信装置１９側に侵入し、受信の安定性を損なうことを防止することができる。
【００４１】
また、上記コンデンサＣ４Ｌａ、Ｃ４Ｌｂの他端とコンデンサＣ４Ｒａ、Ｃ４Ｒｂの他端とが導体線２０ａ、２０ｂを介して接続されている。該コンデンサＣ４Ｌａ、Ｃ４Ｌｂ、Ｃ４Ｒａ、Ｃ４Ｒｂは音声信号を遮断して、イヤーホーンへ行くべき音声信号が導体線２０ａ、２０ｂに漏れるのを防止する役割を果たす。しかし、高周波信号に対しては信号の通過を許容する。その静電容量は例えば１０ｐＦである。
【００４２】
ところで、上記各ローディングコイルＬＬａ、ＬＬｂ、ＬＲａ、ＬＲｂのインダクタンスは、例えば図３に示すような周波数依存性を有し、１００ＭＨｚでは約３．０μＨである。そして、図４に示すように、インサーションロスが２００ＭＨｚで最大になるようにされているのである。具体的には、２００ＭＨｚではインサーションロスが５０ｄＢ（ゲイン＝−５０ｄＢ）にも達する。従って、実質的に電気的分離をするようなハイインピーダンスになるといえるのである。因みに、１００ＭＨｚではインサーションロスが１５ｄＢ（ゲイン＝−１５ｄＢ）程度にしかならず、インピーダンスについては電気的分離を為し得ないローインピーダンスにしかならないといえる。
【００４３】
１８Ｌ、１８Ｒは音声信号伝達線で、高周波遮断手段たるフェライトビーズＦ２ＬＡ、Ｆ２ＲＡ（例えば村田製作所製ＢＬＭ１８ＨＤ１０２ＳＮ１  サイズ１６０８）を介して音声／高周波兼用信号線８Ｌａ、８Ｒａに接続されている。そして、音声／高周波兼用信号線８Ｌｂ、８Ｒｂは上記フェライトビーズＦ２ＬＡ、Ｆ２ＲＡと同じ特性のフェライトビーズＦ２ＬＣ、Ｆ２ＲＣを介して接地されている。
【００４４】
このフェライトビーズＦ２ＬＡ、Ｆ２ＲＡ、Ｆ２ＬＣ、Ｆ２ＲＣは音声信号経路に高周波信号が漏れることを防止するもので、テレビジョン放送信号の周波数帯域においては高インピーダンス（例えば１ｋΩ以上）になり、高周波信号を遮断し、音声信号の周波数帯域（２０ｋＨｚ以下）においては、抵インピーダンスになって音声信号の通過を許容する。
【００４５】
Ｃ１Ｌ、Ｃ１Ｒは音声／高周波兼用信号線８Ｌａ、８Ｒａとバラン４の平衡端子との間に介挿された音声信号線と共通音声信号線（グランドライン）との分離用コンデンサ（容量が例えば１０ｐＦ）で、左右の音声信号がそれぞれの共通音声信号線（グランドライン）と分離され、イヤーホーンのコイルを動作させることを可能にするためのものである。
Ｃ３Ｌ、Ｃ３Ｒは音声／高周波兼用信号線８Ｌａ・８Ｌｂ間、及び、音声／高周波兼用信号線８Ｒａ・８Ｒｂ間に接続された帯域拡大用コンデンサで、アンテナの受信周波数帯域を低い周波数側に拡大するものである。
【００４６】
このイヤーホーンアンテナ２は、１００ＭＨｚ共振ループルアンテナと、２００ＭＨｚ共振Ｖ型ダイポールアンテナと、音声信号線とが共存する。即ち、１００ＭＨｚ共振ループアンテナとしての機能と、２００ＭＨｚ共振Ｖ型ダイポールアンテナとしての機能と、左右の音声信号を左右のイヤーホーン１２Ｌ、１２Ｒへ伝送する機能とを有するのである。
【００４７】
先ず、１００ＭＨｚ共振ループアンテナとしての機能について説明する。各ローディングコイルＬＬａ、ＬＬｂ、ＬＲａ、ＬＲｂは、図４に示すように、１００ＭＨｚの周波数の信号に対しては、インサーションロスが１５ｄＢ（ゲイン＝−１５ｄＢ）程度と小さいので、ローディングコイルＬＬａ、ＬＬｂ、ＬＲａ、ＬＲｂと導体線８Ｌａ、８Ｌｂ、８Ｒａ、８Ｒｂとの間は高周波的に分離し得ない。
【００４８】
従って、１００ＭＨｚの周波数の信号に対しては、音声／高周波兼用信号線８Ｌａ、８Ｌｂ、８Ｒａ、８Ｒｂと、ローディングコイルＬＬａ、ＬＬｂ、ＬＲａ、ＬＲｂと、導体線２０ａ、２０ｂからなるループアンテナが受信アンテナとして機能し、共振する。
そして、そのローディングコイルＬＬａ、ＬＬｂ、ＬＲａ、ＬＲｂは基本周波数（例えば１００ＭＨｚ）の共振に必要とされるアンテナ長を短縮する共振アンテナ長短縮機能を有し、アンテナ長が短くても低い周波数の信号に対する受信感度を高めることができるようにする役割を果たす。
【００４９】
即ち、アンテナは、ダイポールアンテナの場合、波長λの１／２、ループアンテナの場合、波長λの１〜１．５倍程度のアンテナ長が必要になる。従って、ループアンテナの場合、通常、１００ＭＨｚに共振するには必要なアンテナループ長が３．０ｍにもなってしまう。これでは携帯用無線機（液晶ＴＶ）用としては実用性がない。
しかし、本イヤーホーンアンテナ２には、ローディングコイルＬＬａ、ＬＬｂ、ＬＲａ、ＬＲｂが存在し、その共振アンテナ長短縮機能によりアンテナ長が短くても低い周波数の信号を充分な感度で受信できる。
【００５０】
具体的には、各ローディングコイルＬＬａ、ＬＬｂのインダクタンスが１００ＭＨｚで約３．０μＨであり、１００ＭＨｚというテレビジョン放送使用周波数帯域内においては低域に属する（波長の比較的長い）信号に対して首掛けに適する実用的な長さのアンテナ長で共振を可能にする。
従って、実用的なアンテナ長で１００ＭＨｚ共振ループアンテナが、音声／高周波兼用信号線８Ｌａ、８Ｌｂ、８Ｒａ、８Ｒｂ、ローディングコイルＬＬａ、ＬＬｂ、ＬＲａ、ＬＲｂ自身及び導体線２０ａ、２０ｂによって構成され、実用的なアンテナ長で１００ＭＨｚの周波数に共振し、更に、１００ＭＨｚの高調波（３倍波、５倍波、７倍波）に励振するのである。
尚、このループアンテナとしての長さは首後ろに回す導体線２０ａ、２０ｂ（４０ｃｍ）を含め１．１３λに設定されている。
【００５１】
次に、２００ＭＨｚ共振ダイポールアンテナとしての機能について説明する。上記ローディングコイルＬＬａ、ＬＬｂ、ＬＲａ、ＬＲｂは、図４に示すように、２００ＭＨｚでの周波数の信号に対してはインサーションロスが５０ｄＢ（ゲイン＝−５０ｄＢ）にも達し、実質的に、音声／高周波兼用信号線８Ｌａ、８Ｌｂ、８Ｒａ、８Ｒｂから分離し、音声／高周波兼用信号線８Ｌａ、８Ｌｂ、８Ｒａ、８Ｒｂのみがアンテナとして、より具体的にはダイポールアンテナとして機能する。
【００５２】
そして、音声／高周波兼用信号線８Ｌａ、８Ｌｂ、８Ｒａ、８Ｒｂのみからなるダイポールアンテナは、片側アンテナ長が３７ｃｍなので、２００ＭＨｚの周波数の信号に共振する。従って、２００ＭＨｚの周波数の周波数の信号に共振し、その２００ＭＨｚの高調波（３倍波、５倍波、７倍波）に励振するＶ型ダイポールアンテナが存在することになる。
尚、ダイポールアンテナの場合、各アンテナ長に対する共振波長の計算値より実際の共振波長が多少短くなる傾向がある。
【００５３】
次に、音声信号を伝送する機能について説明する。
無線機本体１６の受信装置１９からケーブル１４を介して伝送された左右の音声信号は、左右の音声信号線１８Ｌ、１８Ｒ及びアースラインを通じて音声／高周波兼用信号線８Ｌａ、８Ｌｂ、８Ｒａ、８Ｒｂに伝送され、更に、ローディングボックス１０Ｌ、１０Ｒを介してイヤーホーン１２Ｌ、１２Ｒに伝送され、該イヤーホーン１２Ｌ、１２Ｒにて音声再生される。
このように、音声信号を伝送する機能をも有するので、本イヤーホーンアンテナ２によりアンテナとイヤーホーンの一体化ができるのである。
【００５４】
このように、本イヤーホーンアンテナ２は、何の感度調整動作をしなくても、１００ＭＨｚ共振ループアンテナとしても２００ＭＨｚ共振ダイポールアンテナとしても機能するので、１００ＭＨｚ及び２００ＭＨｚに共振し、その１００ＭＨｚ及び２００ＭＨｚの高調波（３倍、５倍、７倍）に励振するところの、テレビジョン放送使用周波数帯域を充分にカバーする広い帯域に渡って充分に高い受信感度を得ることができ、更に、無線機本体１６の受信装置１９側からの左右の音声信号のイヤーホーン１２Ｌ、１２Ｒへの伝送も行うことができるのである。
そして、フェライトビーズＦ１Ｌａ、Ｆ１Ｌｂ、Ｆ１Ｒａ、Ｆ１Ｒｂにより人体からイヤーホーン１２Ｌ、１２Ｒを通じてイヤーホーンアンテナ２側へ及ぼす高周波的悪影響を防ぐことができ、無線機本体１６側における受信の安定性が人体により損なわれることを防止することができる。
【００５５】
尚、本イヤーホーンアンテナにおいて、左右の音声・高周波兼用信号線８Ｌａ、８Ｌｂ、８Ｒａ、８Ｒｂはすべて互いに同じ長さ（本例では３７ｃｍ）にされ、左右の音声・高周波兼用信号線８Ｌａ、８Ｌｂと８Ｒａ、８Ｒｂで成す角度がバラン４からの長さが５ｃｍまでは本例では９０°に固定されているが、この角度が小さくなる程、そして、固定されている部分の長さが短くなる程、受信感度が低下する。
【００５６】
また、導体線は本例では２０ａ、２０ｂと２本存在するが、図１（Ｂ）の右上肩部に示すように１本にしても良い。というのは、音声・高周波兼用信号線８Ｌａ、８Ｌｂ、８Ｒａ、８Ｒｂに入ってきた音声信号は音声信号遮断用コンデンサＣ４Ｌａ、４Ｌｂ、４Ｒａ、４Ｒｂに遮断され、導体線２０には入り得ず、該導体線２０は電気的には高周波信号に対してループアンテナの一部としてのみ機能するに過ぎないので、１本でも差し支えないからである。換言すれば、左右のイヤーホーンへ音声信号を伝送する役割は担わないので、２本は必要としないのである。
尚、バラン２の首周りでは、頭の大きい人には首掛けが難しい或いは不可能の可能性があるので、導線２０ａ、２０ｂ（或いは２０）の一部にコネクタ２０Ｃを設けて着脱可能にしても良いことは前述の通りである。
【００５７】
図５（Ａ）、（Ｂ）は本発明イヤーホーンアンテナの第２の実施例２ａを示すもので、（Ａ）は構成図、（Ｂ）はアンテナの回路図である。
本実施例２ａは、音声・高周波兼用信号線８Ｌｂと８Ｒａをバラン４の平衡モード側の端子に接続することなく互いに接続し、一重のループアンテナ構成になるようにしたものである。そして、その互いに接続された音声・高周波兼用信号線８Ｌｂ・８Ｒａと接地との間に一つのフェライトビーズＦＢＣが接続されている。この二つの点で、本実施例２ａは第１の実施例２と異なるが、それ以外の点では、異なるところはない。
【００５８】
本実施例２ａによれば、一重のループアンテナ構成なので、バランとしての大きさが同じでも実効的ループアンテナの全周の長さがその２倍になり、同じ大きさのバランで低い周波数帯域の高周波信号が受信できる。例えば、アメリカ合衆国等において使用される５０ＭＨｚ帯の受信が可能となる。
【００５９】
図６（Ａ）、（Ｂ）は本発明イヤーホーンアンテナの第３の実施例２ｂを示すもので、（Ａ）は構成図、（Ｂ）はアンテナの回路図である。
本実施例２ｂは、本発明をディジタル地上波を受信するアンテナに適用したもので、ＵＨＦ（４７０〜７７０ＭＨｚ）の高周波を受信すればよい。
従って、第１、第２の実施例２、２ａのようにローディングコイルを設けることは必要ではなく、また、音声・高周波兼用信号線８Ｌａ、８Ｌｂ、８Ｒａ、８Ｒｂの長さも短くて済む。
【００６０】
本実施例２ｂにおいては、上述のように、ローディングコイルは必要ではないので、音声・高周波兼用信号線８Ｌａ、８Ｌｂ、８Ｒａ、８Ｒｂの反バラン側の端子にはフェライトビーズＦ１Ｌａ、Ｆ１Ｌｂ、Ｆ１Ｒａ、Ｆ２Ｒｂの一端が接続され、該フェライトビーズＦ１Ｌａ、Ｆ１Ｌｂ、Ｆ１Ｒａ、Ｆ１Ｒｂの他端がイヤーホーン１２Ｌ、１２Ｒに接続されている。
また、音声・高周波兼用信号線８Ｌａ、８Ｌｂ、８Ｒａ、８Ｒｂの反バラン側の端子には音声信号遮断用コンデンサＣ４Ｌａ、Ｃ４Ｌｂ、Ｃ４Ｒａ、Ｃ４Ｒｂの一端が接続され、Ｃ４ＬａとＣ４Ｒａとの他端間及びＣ４ＬｂとＣ４Ｒｂの他端間が導体線２０ａ、２０ｂによって接続されている。尚、２本の導体線２０ａ、２０ｂを一本の導体線２０に代えても良いこと、第１の実施例２の場合と同じである。
【００６１】
これらのフェライトビーズＦｌＬａ、Ｆ１Ｌｂ、Ｆ１Ｒａ、Ｆ１Ｒｂ、ノイズ吸収用のコンデンサＣ２Ｌ、Ｃ２Ｒ及び音声信号遮断用コンデンサＣ４Ｌａ、Ｃ４Ｌｂ、Ｃ４Ｒａ、Ｃ４Ｒｂはフェライトビーズ・コンデンサボックス４０Ｌ、４０Ｒ内に収納されている。
該実施例２ｂのループアンテナの全周の長さは６５ｃｍがＵＨＦ（４７０〜７７０ＭＨｚ）の帯域用として好適である。
【００６２】
尚、上記各実施例２、２ａ、２ｂにおいては、音声・高周波兼用信号線８Ｌａ、８Ｌｂと、８Ｒａ、８Ｒｂとがバラン４から例えば９０°の角度をなすように構成されていた。しかし、その角度を約１８０°になるように構成するような態様でも本発明を実施することができる。
また、上記第１の実施例２において導体線２０ａ、２０ｂ（或いは２０）にコネクタ２０ｃを設けるようにしても良いと同様に、第２、第３の実施例２ａ、２ｂにおいてもコネクタ２０ｃを設けて首掛けが容易になるようにしても良い。
【００６３】
【発明の効果】
請求項１のイヤーホーンアンテナによれば、バランにて平衡モードから不平衡モードに変換し、更に、上記二対の音声・高周波兼用信号線を、高周波信号に対しては受信ループアンテナとして機能させ、音声信号に対しては音声信号伝達手段として機能させるので、高周波受信アンテナとイヤーホーンとの一体化を図ることができる。
【００６４】
請求項２のイヤーホーンアンテナによれば、イヤーホーンと、音声・高周波兼用信号線との間に、高周波信号に対してはハイインピーダンスになってその信号を実質的に遮断し、音声信号に対してはローインピーダンスになってその信号の伝送を許容する高周波信号遮断手段を設けたので、人体からイヤーホーンを通じて高周波的悪影響がアンテナ、無線機側に及ぶことをその高周波信号遮断手段によって阻むことができる。
【００６５】
請求項３のバランによれば、一対の音声・高周波兼用信号線によって伝送された音声信号が左右のイヤーホーンに行かず漏れることを音声信号遮断手段により防止することができ、左右のイヤーホーンに達する音声信号のレベルが低下することを防止することができる。
請求項４の無線機によれば、請求項１のイヤーホーンアンテナを用いるので、そのイヤーホーンアンテナの持つ利点を享受することができる。
【００６６】
請求項５のイヤーホーンアンテナによれば、高周波信号をバランにて平衡モードから不平衡モードにモード変換することができると共に、基本周波数（例えば、１００ＭＨｚ）より高い特定の周波数（例えば２００ＭＨｚ）の信号に対してはローディングコイルがハイインピーダンスとなって上記二対の音声・高周波兼用信号線から分離し、その二対の音声・高周波兼用信号線をダイポールアンテナとして機能させ、共振させることができる。
また、基本周波数（例えば、１００ＭＨｚ）の信号に対しては上記ローディングコイルがローインピーダンスとなって上記二対の音声・高周波兼用信号線とそれに接続された各ローディングと導体線を一つのループアンテナとして機能させて共振させることができる。
【００６７】
依って、基本周波数（例えば１００ＭＨｚ）に共振し、更にその高調波（３倍波、例えば３００ＭＨｚ、５倍波、例えば５００ＭＨｚ、７倍波、例えば７００ＭＨｚ）に共振するループアンテナと、予め設定された周波数（例えば１００ＭＨｚ）より高い特定の周波数（例えば２００ＭＨｚ）の信号に共振し、更にその高調波（３倍波、例えば６００ＭＨｚ等）に励振するダイポールアンテナとが上記二対の音声・高周波兼用信号線等によって構成され、広い周波数帯域に渡って受信感度の変化の比較的少ない感度特性を得ることが可能になり、その感度特性を得るのにイヤーホーンアンテナに対する感度調整を全く要しない。
【００６８】
そして、ローディングコイルの共振アンテナ長の短縮機能により、アンテナを徒に長くすることなく低い周波数の信号に対する受信感度を高めることができる。
従って、アンテナ長が比較的短くても広い周波数帯域に渡って受信感度の変化の比較的少ない感度特性を得ることが可能になり、その感度特性を得るのにイヤーホーンアンテナに対する感度調整を全く要しない。
【００６９】
更に、請求項５のイヤーホーンアンテナによれば、音声信号に対しては上記各対の音声・高周波兼用信号線及び上記ローディングコイルが上記左右のイヤーホーンへの音声信号伝送手段として機能するようにしたので、イヤーホーンとアンテナの一体化を図ることができる。
従って、アンテナを広周波数帯域に渡る高周波信号の受信に用いることができると共に、イヤーホーンに音声信号を伝送する手段としても用いることができ、高感度、広帯域アンテナとイヤーホーンの一体化が可能となる。
【００７０】
請求項６のイヤーホーンアンテナによれば、請求項５のイヤーホーンアンテナでは２重であったループを一重のループにしたので、音声・高周波兼用信号線等の長さが同じでも実効アンテナ長を２倍にすることができる。
従って、低い周波数帯域の高周波信号をすることが可能になり、例えば日本向けのイヤーホーンアンテナと同じ大きさで例えば５０ＭＨｚ帯域対応のアメリカ合衆国向きのイヤーホーンアンテナをつくることができる。
【００７１】
請求項７のイヤーホーンアンテナによれば、導体線に音声信号遮断手段を介挿したので、音声・高周波兼用信号線により伝送されてきた音声信号がイヤーホーンではなく導体線に漏れることを音声信号遮断手段によって防止することができる。
請求項８のイヤーホーンによれば、二対の音声・高周波兼用信号線のバラン側の部分における、その二対の一方と他方で成す角度が略１８０°を成すようにしたので、その二対の音声・高周波兼用信号線が上記特定の周波数の高周波信号に対してはＵ型ダイポールアンテナとして共振する。
【００７２】
請求項９のイヤーホーンアンテナによれば、二対の音声・高周波兼用信号線のバラン側の部分における、その二対の一方と他方で成す角度が略１８０°より小さい角度にしたので、その二対の音声・高周波兼用信号線は上記特定の周波数の高周波信号に対してはＶ型ダイポールアンテナとして共振する。
【００７３】
請求項１０のイヤーホーンアンテナによれば、音声・高周波兼用信号線と各イヤーホーンとの間に、高周波信号に対してハイインピーダンスになってその間を高周波的に分離し、音声信号に対してローインピーダンスになってその音声信号の伝送を許容する高周波遮断手段を設けたので、人体からイヤーホーンを通じてアンテナ内に及ぼす高周波的悪影響をその高周波遮断手段によって阻むことができる。
【００７４】
請求項１１のイヤーホーンアンテナによれば、左右の対を成す音声・高周波兼用信号線間それぞれに帯域拡大用コンデンサを接続したので、アンテナとしての受信感度の周波数特性を低周波側に拡げることができる。
【００７５】
請求項１２のイヤーホーンアンテナによれば、音声・高周波兼用信号線に音声信号を伝達する音声信号線に高周波信号に対してハイインピーダンスになる高周波遮断手段を介在させたので、音声・高周波兼用信号線から音声信号線へ高周波受信信号が漏れることを防止することができる。
【００７６】
請求項１３の無線機によれば、上記イヤーホーンアンテナを用いたので、該イヤーホーンアンテナの持つ利点を享受することができる。
【図面の簡単な説明】
【図１】（Ａ）、（Ｂ）は本発明イヤーホーンアンテナの第１の実施例を示すもので、（Ａ）は構成図、（Ｂ）は回路図である。
【図２】（Ａ）〜（Ｃ）はそのイヤーホーンアンテナに用いる各別の部材を示し、（Ａ）はピンジャックコネクタを示す図、（Ｂ）は同軸ケーブルの構成図、（Ｃ）は複合コイルの構成図である。
【図３】上記実施例で使用するローディングコイルの周波数とインダクタンスの関係を示す曲線図である。
【図４】上記第１の実施例で使用するローディングコイルの周波数とインサーションロスとの関係を示す曲線図である。
【図５】（Ａ）、（Ｂ）は本発明イヤーホーンアンテナの第２の実施例を示すもので、（Ａ）は構成図、（Ｂ）は回路図である。
【図６】（Ａ）、（Ｂ）は本発明イヤーホーンアンテナの第３の実施例を示すもので、（Ａ）は構成図、（Ｂ）は回路図である。
【符号の説明】
２、２ａ、２ｂ・・・イヤーホーンアンテナ、４・・・バラン、６・・・ダイポールアンテナ、８Ｌａ、８Ｌｂ、８Ｒａ、８Ｒｂ・・・音声・高周波兼用信号線、１０Ｌ、１０Ｒ・・・ローディングボックス、１２Ｒ、１２Ｌ・・・イヤーホーン、１４・・・同軸ケーブル、１６・・・無線機本体、１８Ｌ、１８Ｒ・・・音声信号線、１９・・・受信装置、２０・・・導体線、ＬＬａ、ＬＬｂ、ＬＲａ、ＬＲｂ・・・ローディングコイル、ＦｌＬａ、Ｆ１Ｌｂ、Ｆ１Ｒａ、Ｆ１Ｒｂ、Ｆ２ＬＡ、Ｆ２ＲＡ、Ｆ２Ｃ、Ｆ２ＬＣ、Ｆ２ＲＣ・・・高周波遮断手段（フェライトビーズ）、Ｃ１Ｌ、Ｃ１Ｒ・・・音声信号遮断手段、Ｃ３Ｌ、Ｃ３Ｒ・・・受信周波数帯域拡大手段、Ｃ４Ｌａ、Ｃ４Ｌｂ、Ｃ４Ｒａ、Ｃ４Ｒｂ・・・音声信号遮断手段。
【図１】
2004274356.tif 000003
【図２】
2004274356.tif 000004
【図３】
2004274356.tif 000005
【図４】
2004274356.tif 000006
【図５】
2004274356.tif 000007
【図６】
2004274356.tif 000008